(57)【要約】【課題】遊技機の点検作業時に感電するのを防止できる遊技機を提供する。【解決手段】遊技の進行を制御する主制御回路６０と、当該制御手段を収容する主制御基板収容ケース４１２と、当該主制御基板収容ケース４１２を内部に収納する本体枠１２と、当該本体枠１２の前方に開閉自在に軸着された扉１１と、主制御回路６０に電力を供給する電力供給回路９０とを備え、主制御基板収容ケース４１２は、収容ケース本体４１２ａと、当該収容ケース本体４１２ａに着脱自在に設けられた収容ケース蓋体４１２ｂとを有し、収容ケース本体４１２ａに対する収容ケース蓋体４１２ｂの着脱を検知する収容ケースセンサ９１２と、収容ケース本体４１２ａから収容ケース蓋体４１２ｂが取り外された状態を当該収容ケースセンサ９１２が検知したことを条件として、電力供給回路９０が主制御回路６０に電力を供給するのを停止させる制御を行う第１電力供給制御回路９１０とを備える。【選択図】図９
2007313218.tif 000002
【特許請求の範囲】
【請求項１】
遊技の進行を制御する制御手段と、
当該制御手段を収容する制御手段収容ケースと、
当該制御手段収容ケースを内部に収納する遊技機枠体と、
当該遊技機枠体の前方に開閉自在に軸着された扉と、
前記制御手段に電力を供給する電力供給手段とを備え、
前記制御手段収容ケースは、収容ケース本体と、当該収容ケース本体に着脱自在に設けられた収容ケース蓋体とを有し、
前記収容ケース本体に対する前記収容ケース蓋体の着脱を検知する第１検知手段と、
前記収容ケース本体から前記収容ケース蓋体が取り外された状態を当該第１検知手段が検知したことを条件として、前記電力供給手段が前記制御手段に電力を供給するのを停止させる制御を行う第１電力供給制御手段とを備えることを特徴とする遊技機。
【請求項２】
請求項１に記載の遊技機において、
前記制御手段収容ケースは、前記収容ケース蓋体が前記収容ケース本体に取り付けられた状態で、前記収容ケース蓋体を前記収容ケース本体に固定する第１施錠手段を備え、
前記第１施錠手段は、前記収容ケース本体に設けられ外部から鍵が挿入される鍵穴と、前記収容ケース本体に設けられ当該鍵が前記鍵穴に挿入された状態で回動されることにより、当該鍵とともに回動する第１回動片と、前記収容ケース蓋体に形成され前記第１回動片が回動して当該第１回動片によって係止される第１係止部とを有し、
前記第１施錠手段から前記鍵が抜かれたか否かを検知する第２検知手段と、
第１電力供給制御手段は、前記第１施錠手段から前記鍵が抜かれた状態を当該第２検知手段が検知したことを条件として、前記制御手段に、前記電力供給手段による電力の供給を開始させる制御を行うことを特徴とする遊技機。
【請求項３】
請求項１に記載の遊技機において、
前記制御手段収容ケースは、前記収容ケース蓋体が前記収容ケース本体に取り付けられた状態で、前記収容ケース蓋体を前記収容ケース本体に固定する第２施錠手段を備え、
前記第２施錠手段は、入力情報を入力可能な入力手段と、前記収容ケース本体に設けられ当該入力手段により入力された入力情報に基づき、回動する第２回動片と、前記収容ケース蓋体に形成され当該第２回動片によって係止される第２係止部とを有し、
当該入力手段により入力された入力情報が所定入力情報であるか否かを判定する判定手段と、
前記入力手段により入力された入力情報が前記所定入力情報であると前記判定手段が判定したことを条件として、前記電力供給手段による電力の供給を停止させる制御を行う第２電力供給制御手段とを備え、
前記第２回動片は、前記入力手段により入力された入力情報が所定入力情報であると前記判定手段が判定したことを条件に、回動して前記第２係止部との係止を解除することを特徴とする遊技機。
【発明の詳細な説明】
【技術分野】
【０００１】
本発明は、例えば、パチンコ遊技装置、パチスロ遊技装置、スロットマシン等の遊技機に関する。
【背景技術】
【０００２】
従来のパチンコ機では、通常遊技において、遊技盤に設けられた始動口に遊技球が入ったことを契機に、遊技者にとって有利な遊技である特別遊技状態へ移行するか否かの大当たり抽選が行われ、表示手段において、図柄の変動表示、およびこれに伴う演出表示が行われる。さらに、従来のパチンコ機では、この抽選に当選すると特別遊技状態へ移行する。特別遊技状態では、大入賞口が長期間開放するラウンドゲームを複数回（通常は１５回）繰り返し行い、この大入賞口に遊技球が入球すると多くの遊技球が払い出される。
【０００３】
このようなパチンコ機では、大当たり抽選に関するデータを記憶する記憶手段や、大当たり抽選を行う制御手段などが基板上に搭載され、この基板がパチンコ機の筐体内に取り付けられている。このような基板は、第三者により不正に改ざんされたり、不正に交換されることを防止するために、収容ケースに収容してからパチンコ機の筐体内に取り付けることが望ましい。
【０００４】
そこで、例えば、ケース本体と上蓋とから成る遊技機用基板ケースに、ゲーム用電子回路基板を収納し、ケース本体と上蓋とをホルダ金具により閉じる遊技機の基板ケース施錠構造がある（特許文献１参照）。
この特許文献１に記載された遊技機によれば、遊技機用基板をケース本体と上蓋とから成る遊技機用基板ケースに収納し、ケース本体と上蓋とをホルダ金具により閉じた。よって、第三者が遊技機用基板ケースのケース本体と上蓋とを開くのを防止できるので、この遊技機用基板ケース内の遊技機用基板を不正に交換されることを防止できる。一方、遊技機の管理者は、ホルダ金具を外して、遊技機用基板が収納された遊技機用基板ケースのケース本体と上蓋とを開くことで、遊技機を点検することができる。
【特許文献１】特開２００１−６２１１４号公報
【発明の開示】
【発明が解決しようとする課題】
【０００５】
しかしながら、遊技中の遊技機用基板には電力が供給されている。よって、遊技機の点検作業時に、遊技機用基板ケースのケース本体と上蓋とを開き、遊技機用基板に触ると感電するおそれがあった。
【０００６】
本発明の目的は、遊技機の点検作業時に感電するのを防止できる遊技機を提供することである。
【課題を解決するための手段】
【０００７】
本発明では、以下のようなものを提供する。
【０００８】
（１）  遊技の進行を制御する制御手段と、当該制御手段を収容する制御手段収容ケースと、当該制御手段収容ケースを内部に収納する遊技機枠体と、当該遊技機枠体の前方に開閉自在に軸着された扉と、前記制御手段に電力を供給する電力供給手段とを備え、前記制御手段収容ケースは、収容ケース本体と、当該収容ケース本体に着脱自在に設けられた収容ケース蓋体とを有し、前記収容ケース本体に対する前記収容ケース蓋体の着脱を検知する第１検知手段と、前記収容ケース本体から前記収容ケース蓋体が取り外された状態を当該第１検知手段が検知したことを条件として、前記電力供給手段が前記制御手段に電力を供給するのを停止させる制御を行う第１電力供給制御手段とを備えることを特徴とする遊技機。
【０００９】
（１）記載の遊技機によれば、遊技の進行を制御する制御手段、この制御手段を収容する制御手段収容ケース、この制御手段収容ケースを内部に収納する遊技機枠体、この遊技機枠体の前方に開閉自在に軸着された扉、および制御手段に電力を供給する電力供給手段を設けた。これにより、制御手段収容ケースに収容された制御手段に電力を供給することで、遊技を進行できる。
また、制御手段収容ケースには、収容ケース本体、当該収容ケース本体に着脱自在に設けられた収容ケース蓋体を設けた。これにより、収容ケース本体の内部に制御手段を設置し、収容ケース蓋体を収容ケース本体に装着することで、制御手段を制御手段収容ケース内に収容できる。
また、収容ケース本体に対する収容ケース蓋体の着脱を検知する第１検知手段、および収容ケース本体から収容ケース蓋体が取り外された状態を第１検知手段が検知したことを条件として、電力供給手段が制御手段に電力を供給するのを停止させる制御を行う第１電力供給制御手段を設けた。これにより、第１検知手段により収容ケース本体から収容ケース蓋体が取り外された状態を検知したときに、第１電力供給制御手段により電力供給手段が制御手段に電力を供給するのを停止できる。
したがって、遊技機を点検するために、制御手段を収容した制御手段収容ケースの収容ケース本体から収容ケース蓋体を取り外すと制御手段への電力の供給が停止されるので、遊技機の点検作業時に感電するのを防止できる。
【００１０】
（２）  （１）に記載の遊技機において、前記制御手段収容ケースは、前記収容ケース蓋体が前記収容ケース本体に取り付けられた状態で、前記収容ケース蓋体を前記収容ケース本体に固定する第１施錠手段を備え、前記第１施錠手段は、前記収容ケース本体に設けられ外部から鍵が挿入される鍵穴と、前記収容ケース本体に設けられ当該鍵が前記鍵穴に挿入された状態で回動されることにより、当該鍵とともに回動する第１回動片と、前記収容ケース蓋体に形成され前記第１回動片が回動して当該第１回動片によって係止される第１係止部とを有し、前記第１施錠手段から前記鍵が抜かれたか否かを検知する第２検知手段を備え、前記第１電力供給制御手段は、前記第１施錠手段から前記鍵が抜かれた状態を当該第２検知手段が検知したことを条件として、前記制御手段に、前記電力供給手段による電力の供給を開始させる制御を行うことを特徴とする遊技機。
【００１１】
（２）記載の遊技機によれば、制御手段収容ケースに収容ケース蓋体を収容ケース本体に固定する第１施錠手段を設けた。この第１施錠手段には、収容ケース本体に設けられ外部から鍵が挿入される鍵穴と、収容ケース本体に設けられ当該鍵が鍵穴に挿入された状態で回動されることにより、当該鍵とともに回動する第１回動片と、収容ケース蓋体に形成され第１回動片が回動して当該第１回動片によって係止される第１係止部とを設けた。
これにより、例えば、収容ケース本体の内部に制御手段を設置し、収容ケース蓋体を収容ケース本体に装着した状態で、収容ケース本体の第１施錠部に鍵を差し込んで、第１施錠部の第１回動片を回動させて、この第１回動片によって収容ケース蓋体に形成された第１係止部に係止することで、収容ケース蓋体を収容ケース本体に施錠する。
また、第１施錠部から鍵が抜かれたか否かを検知する第２検知手段を備え、第１電力供給制御手段により、この第２検知手段が第１施錠部から鍵が抜かれた状態を検知したことを条件として、制御手段に、電力供給手段による電力の供給を開始させる制御を行う。これにより、第１施錠部から鍵を抜くだけで、制御手段へ電力の供給を開始できる。
したがって、遊技機の点検時には、収容ケース本体から収容ケース蓋体を取り外すだけで、制御手段へ電力の供給を停止でき、遊技機の点検終了時には、収容ケース蓋体を収容ケース本体に装着した状態で、第１施錠手段により施錠し、鍵を抜くだけで、制御手段へ電力の供給を開始できる。よって、遊技機の点検作業時に感電するのを防止できるとともに、点検作業終了時には、制御手段へ電力の供給が停止されたことにより中断した遊技をスムーズに再開できる。
【００１２】
（３）  （１）に記載の遊技機において、前記制御手段収容ケースは、前記収容ケース蓋体が前記収容ケース本体に取り付けられた状態で、前記収容ケース蓋体を前記収容ケース本体に固定する第２施錠手段を備え、前記第２施錠手段は、入力情報を入力可能な入力手段と、前記収容ケース本体に設けられ当該入力手段により入力された入力情報に基づき、回動する第２回動片と、前記収容ケース蓋体に形成され当該第２回動片によって係止される第２係止部とを有し、当該入力手段により入力された入力情報が所定入力情報であるか否かを判定する判定手段と、前記入力手段により入力された入力情報が所定入力情報であると判定手段が判定したことを条件として、前記電力供給手段による電力の供給を停止させる制御を行う第２電力供給制御手段とを備え、前記第２回動片は、前記入力手段により入力された入力情報が所定入力情報であると前記判定手段が判定したことを条件に、回動して前記第２係止部との係止を解除することを特徴とする遊技機。
【００１３】
（３）記載の遊技機によれば、制御手段収容ケースに収容ケース蓋体を収容ケース本体に固定する第２施錠手段を設けた。この第２施錠手段には、入力情報を入力可能な入力手段と、収容ケース本体に設けられ当該入力手段により入力された入力情報に基づき、回動する第２回動片と、収容ケース蓋体に形成され当該第２回動片によって係止される第２係止部とを設けた。
これにより、例えば、収容ケース本体の内部に制御手段を設置し、収容ケース蓋体を収容ケース本体に装着し、収容ケース本体に設けられた第２回動片によって収容ケース蓋体に形成された第２係止部を係止できる。
また、入力手段により入力された入力情報が所定入力情報であるか否かを判定する判定手段、入力された入力情報が所定入力情報であると判定手段が判定したことを条件として、電力供給手段による電力の供給を停止させる制御を行う第２電力供給制御手段を設けた。
これにより、入力手段により所定入力情報を入力すると、制御手段に電力の供給を停止できる。
さらに、第２回動片は、入力手段により入力された入力情報が所定入力情報であると判定手段が判定したことを条件に、回動して第２係止部との係止を解除する。
したがって、所定入力情報を知らない第三者が制御手段収容ケースの収容ケース蓋体を開けて、制御手段を不正に交換するのを防止できるとともに、制御手段収容ケースの収容ケース蓋体を開けるために所定入力情報を入力するだけで、制御手段に電力の供給を停止できるので、遊技機の点検作業時に感電するのを確実に防止できる。
【発明の効果】
【００１４】
本発明の遊技機によれば、第１検知手段により収容ケース本体から収容ケース蓋体が取り外された状態を検知したときに、第１電力供給制御手段により電力供給手段が制御手段に電力を供給するのを停止する制御を行うので、遊技機を点検するために、制御手段を収容した制御手段収容ケースの収容ケース本体から収容ケース蓋体を取り外すと制御手段への電力の供給が停止され、遊技機の点検作業時に感電するのを防止できる。
【発明を実施するための最良の形態】
【００１５】
以下に、本発明に好適な実施形態について図面に基づいて説明する。なお、以下において説明する実施形態においては、本発明に係る遊技機に好適な実施形態として本発明を、所謂、デジパチあるいはセブン機とも称されるパチンコ遊技機に適用した場合を示す。
【００１６】
［遊技機の構成］
まず、遊技機の概観について図１および図２を用いて説明する。図１は、本実施形態におけるパチンコ遊技機１０の概観を示す斜視図である。また、図２は、本実施形態におけるパチンコ遊技機１０の概観を示す分解斜視図である。なお、本実施形態を説明するための便宜上、遊技機を構成する各部材において遊技者側を向く面を前面、反対側の面を後面と称することにする。同様に、遊技者側を向く方向を前方、その反対方向を後方と称することにする。
【００１７】
図１および図２に示すように、パチンコ遊技機１０は、前面に開口１２ａが形成された本体枠１２と、その本体枠１２における開口１２ａの内部に配設される各種の部品と、本体枠１２に軸着され、前方に開閉自在なベースドア１７と、このベースドア１７に軸着され、前方に開閉自在な扉１１とから構成されている。この扉１１は、図１に示すように、開口１２ａを前面から閉鎖するためのものであり、通常閉鎖した状態で遊技が行われる。また、ベースドア１７の前面側には、上皿２０、下皿２２、発射ハンドル２６等が設けられている。さらに、ベースドア１７には、前面側から後面側に向かって、遊技盤１４、スペーサー３１、液晶表示装置３２が配設されており、ベースドア１７の後面側には後述する基板ユニット４００や球払出ユニット５００が設けられている。このため、例えば、遊技盤１４上において遊技球が詰まった場合には扉１１が開かれ、遊技球の払出しが行われない場合においてはベースドア１７が開かれて、復旧作業が行われる。
【００１８】
ベースドア１７を閉じた際に、本体枠１２の開口１２ａ内部には、液晶表示装置３２と、スペーサー３１、遊技盤１４等が配設される。なお、図２において、遊技盤１４、スペーサー３１、液晶表示装置３２以外の各種の部品（図示せず）については、理解を容易にするために説明を省略する。
【００１９】
遊技盤１４は、少なくとも一部又は全部が透過性を有する板形状の樹脂（部材）によって形成されている略長方形の取付板の前面に、障害釘１３やガイドレール３０、その他各種の部材（詳細は、図４を用いて後述する）を取り付けることによって構成される。この取付板として用いる透過性を有する部材としては、例えば、アクリル樹脂、ポリカーボネート樹脂、メタクリル樹脂など各種の材質が該当する。また、遊技盤１４は、その前面に、発射された遊技球が転動可能な遊技領域１５を有している。この遊技領域１５は、ガイドレール３０（具体的には後述の図４に示す外レール３０ａ）に囲まれ、遊技球が転動可能な領域である。一方、遊技盤１４はラウンド数表示器５１を有している。
【００２０】
液晶表示装置３２は、スペーサー３１を挟んで、遊技盤１４の後方（背面側）に配設されている。この液晶表示装置３２は、遊技に関する画像の表示を可能とする表示領域３２ａを有している。この表示領域３２ａは、遊技盤１４の全部又は一部に、スペーサー３１を挟んで、遊技盤１４の後面側に重なるように配設される。言い換えると、この表示領域３２ａは、少なくとも、遊技盤１４における遊技領域１５の全部又は一部と重なるように遊技盤１４の後方に配設される。具体的には、液晶表示装置３２は、その表示領域３２ａが遊技領域１５の全部又は一部と、遊技領域外域１６の全部又は一部とに重なるように遊技盤１４の後方に配設される。この液晶表示装置３２における表示領域３２ａには、演出用の演出画像、装飾用の装飾画像等、各種の画像が表示される。
【００２１】
スペーサー３１は、遊技盤１４の後方に配設されるとともに、液晶表示装置３２の前方に配設される。つまり、スペーサー３１は、遊技盤１４と液晶表示装置３２によって挟持される。このスペーサー３１は、透過性を有した材料で形成されており、中央に大きな貫通穴３１ａが設けられている。貫通穴３１ａには、特別図柄表示器３３（図３参照）および普通図柄表示器３５（図３参照）を収納する表示器ケース３７（図３参照）、特別図柄保留ランプ３４ａ、３４ｂ、３４ｃ、３４ｄ（図３参照）ならびに普通図柄保留ランプ５０ａ、５０ｂ、５０ｃ、５０ｄ（図３参照）で構成される電飾ユニット５３が設けられる。表示器ケース３７の前面側は、視認向上を目的として、透明レンズ（図示せず）で覆われている。
【００２２】
なお、図２では、理解を容易にするため、遊技盤１４の後面に設けられる第１ワープ経路４７およびラウンド数表示器５１を記載している。第１ワープ経路４７は、透過性を有する材質で形成されており、入賞口２４（図４参照）に入賞した遊技球を、後述する第２ワープ経路４９（図４参照）に経由するために設けられている。
【００２３】
本実施形態において、ラウンド数表示器５１は、遊技盤１４上において外レール３０ａの右上部端付近に設けられている。なお、ラウンド数表示器５１については後述する。
【００２４】
図３によって、特別図柄表示器３３、普通図柄表示器３５、特別図柄保留ランプ３４ａ〜３４ｄおよび普通図柄保留ランプ５０ａ〜５０ｄを説明する。図３は、電飾ユニット５３の拡大図である。
【００２５】
図３に示すように、表示器ケース３７に収容される特別図柄表示器３３は、複数の７セグメントＬＥＤ４１で構成されている。この７セグメントＬＥＤ４１は、所定の特別図柄の変動表示開始条件の成立により、点灯・消灯を繰り返す。７セグメントＬＥＤ４１の点灯・消灯によって、“０”から“９”までの１０個の数字図柄が、特別図柄（識別情報ともいう）として変動表示される。この特別図柄として、特定の数字図柄（例えば、“３”又は“７”の数字図柄）が停止表示された場合は、通常遊技状態から遊技者に有利な状態である大当たり遊技状態に遊技状態が移行する。この大当たり遊技状態となった場合には、シャッタ４０（図４参照）が開放状態に制御され、大入賞口３９（図４参照）に遊技球が受け入れ可能な状態となる。一方、特別図柄として、特定の数字図柄以外の数字図柄（例えば、“３”又は“７”以外の数字図柄）が停止表示された場合は、通常遊技状態が維持される。以上のように、特別図柄が変動表示された後、停止表示され、その結果によって遊技状態が移行又は維持されるゲームを「特別図柄ゲーム」という。
【００２６】
特別図柄表示器３３の右側には、普通図柄表示器３５が設けられている。普通図柄表示器３５は、２つのランプ（図示せず）で構成されており、このランプが交互に点灯・消灯を繰り返すことによって、例えば“○”、“×”等の記号が普通図柄として変動表示される。
【００２７】
表示器ケース３７の左右の両側には、特別図柄保留ランプ３４ａ〜３４ｄが設けられている。この特別図柄保留ランプ３４ａ〜３４ｄは、点灯又は消灯によって保留されている特別図柄の変動表示の実行回数（所謂、「保留個数」、「特別図柄に関する保留個数」）を表示する。例えば、特別図柄の変動表示の実行が１回分保留されている場合には、特別図柄保留ランプ３４ａが点灯する。
【００２８】
表示器ケース３７の下側には、普通図柄保留ランプ５０ａ〜５０ｄが設けられている。この普通図柄保留ランプ５０ａ〜５０ｄは、後述するように、点灯又は消灯によって保留されている普通図柄の変動表示の実行回数（所謂、「保留個数」、「普通図柄に関する保留個数」）を表示する。特別図柄と同様に、普通図柄の変動表示の実行が１回分保留されている場合には、普通図柄保留ランプ５０ａが点灯する。
【００２９】
図１および図２を用いたパチンコ遊技機１０の概観の説明を続ける。扉１１には、透過性を有する保護板１９が配設されている。この保護板１９は、扉１１が閉鎖された状態で遊技盤１４の前面に対面するように配設されている。
【００３０】
発射ハンドル２６はベースドア１７に対して回動自在に設けられている。また、発射ハンドル２６の後部には、駆動装置である発射ソレノイド（図示せず）が設けられている。さらに、発射ハンドル２６の周縁部には、タッチセンサ（図示せず）が設けられている。このタッチセンサが遊技者により触接されたときに、遊技者により発射ハンドル２６が握持されたことが検知される。発射ハンドル２６が遊技者によって握持され、かつ、時計回り方向へ回動操作されたときに、発射ソレノイド（図示せず）に発射ハンドル２６の回動量に応じた電力が供給され、上皿２０に貯留された遊技球が遊技盤１４に順次発射され、遊技が進められる。
【００３１】
また、遊技盤１４の後方に配設されている液晶表示装置３２の表示領域３２ａでは、前述した特別図柄表示器３３において表示される特別図柄と関連する演出画像が表示される。
【００３２】
図４に示すように、２つのガイドレール３０（３０ａおよび３０ｂ）、障害物５５、５７、通過ゲート５４ａ、５４ｂ、第２ワープ経路４９、障害物５８を備えた始動口４４、シャッタ４０、大入賞口３９、一般入賞口５６ａ、５６ｂ、５６ｃ、５６ｄが設けられている。なお、遊技盤１４の上部では、特別図柄表示器３３、普通図柄表示器３５等の電飾ユニット５３が視認可能となっている。また、電飾ユニット５３の上部にはスピーカ４６が設けられている。
【００３３】
遊技盤１４の上部には障害物５５が設けられ、遊技盤１４の略中央には障害物５７が設けられている。また、遊技盤１４の中央部の右側にも障害物５８が設けられている。
【００３４】
遊技盤１４の左側に設けられている２つのガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技盤１４の上部に移動し、電飾ユニット５３上を通過して、前述した複数の障害釘（図示せず）、遊技盤１４上に設けられた障害物５５、５７、５８等との衝突により、その進行方向を変えながら遊技盤１４の下方に向かって流下する。
【００３５】
また、障害物５５の左端部には、入賞口２４が形成されている。この入賞口２４に遊技球が入賞すると、遊技盤１４の背後において、第１ワープ経路４７を経由し、さらに、レール状の第２ワープ経路４９に沿って移動し、障害物５７の背後に導かれる。障害物５７の背後に導かれた遊技球は、障害物５７に囲まれた排出口（図示せず）から遊技盤１４の前面側に排出され、遊技盤１４へと流下する。
【００３６】
さらに、始動口４４が、障害物５５の右側に設けられている。この始動口４４は、左右の両側に羽根部材（所謂、普通電動役物）４８が設けられている。
【００３７】
前述した始動口２５又は始動口４４に遊技球が入賞した場合には、特別図柄表示器３３による特別図柄の変動表示が開始される。また、特別図柄の変動表示中に遊技球が始動口２５又は始動口４４へ入賞した場合には、変動表示中の特別図柄が停止表示されるまで、始動口２５又は始動口４４への遊技球の入賞に基づく特別図柄の変動表示の実行（開始）が保留される。その後、変動表示していた特別図柄が停止表示された場合には、保留されていた特別図柄の変動表示が開始される。
【００３８】
遊技盤１４の略中央の左右両側には通過ゲート５４ａ、５４ｂが設けられている。この通過ゲート５４ａ、５４ｂには、通過球センサ（図示せず）が設けられている。通過球センサ（図示せず）は、遊技球が通過ゲート５４ａ、５４ｂを通過したことを検出する。そして、通過球センサ（図示せず）によって遊技球の通過が検出されたときには、普通図柄表示器３５に表示される普通図柄の変動表示が開始され、所定の時間が経過した後、普通図柄の変動表示を停止する。前述したように、この普通図柄は、“○”、“×”等の記号である。
【００３９】
この普通図柄が所定の図柄、例えば“○”として停止表示されたときには、始動口４４の左右の両側に設けられている羽根部材（所謂、普通電動役物）４８が閉鎖状態から開放状態となり、始動口４４に遊技球が入りやすくなるようになる。また、羽根部材を開放状態とした後、所定の時間が経過したときには、羽根部材を閉鎖状態として、始動口４４に遊技球が入りにくくなるようにする。以上のように、普通図柄が変動表示された後、停止表示され、その結果によって羽根部材の開放・閉鎖状態が異なってくるゲームを「普通図柄ゲーム」という。
【００４０】
また、特別図柄の変動表示と同じように、普通図柄の変動表示中において通過ゲート５４ａ、５４ｂを遊技球が通過した場合には、変動表示中の普通図柄が停止表示されるまで、通過ゲート５４ａ、５４ｂへの遊技球の通過に基づく普通図柄の変動表示の実行（開始）が保留される。その後、変動表示していた普通図柄が停止表示された場合には、保留されていた普通図柄の変動表示が開始される。
【００４１】
大入賞口３９には、その前面側（前方）に開閉自在なシャッタ４０が設けられている。このシャッタ４０は、特別図柄表示器３３において特別図柄として特定の数字図柄が停止表示され、遊技状態が大当たり遊技状態に移行された場合は、遊技球を受け入れやすい開放状態となるように駆動される。その結果、大入賞口３９は、遊技球を受け入れやすい開放状態（第１の状態）となる。
【００４２】
一方、シャッタ４０の背面側（後方）に設けられた大入賞口３９には、Ｖ・カウントセンサ（図示せず）を有する特定領域（図示せず）と、カウントセンサ（図示せず）を有する一般領域（図示せず）とがあり、それらの領域を遊技球が所定個数（例えば１０個）通過するか、又は、所定時間（例えば３０秒）が経過するまでシャッタ４０が開放状態に駆動される。そして、開放状態において大入賞口３９への所定数の遊技球の入賞又は所定時間の経過のいずれかの条件が成立すると、シャッタ４０は、遊技球を受け入れ難い閉鎖状態になるように駆動される（第２の状態）。大入賞口３９が遊技球を受け入れやすい状態となっている開放状態（第１の状態）から大入賞口３９が遊技球を受け入れ難い状態となっている閉鎖状態（第２の状態）までの遊技をラウンドゲームという。したがって、シャッタ４０は、ラウンドゲーム時に開放し、各ラウンドゲーム間では閉鎖することになる。また、ラウンドゲームの１回目を第１ラウンド、２回目を第２ラウンドと呼称し、ラウンドゲームは、ラウンド数として計数される。
【００４３】
続いて、開放状態から閉鎖状態（第２の状態）駆動されたシャッタ４０は、開放状態において大入賞口３９に受け入れられた遊技球がＶ・カウントセンサ（図示せず）を通過したことを条件に、再度開放状態に駆動される。つまり、シャッタ４０の開放状態において大入賞口３９に受け入れられた遊技球がＶ・カウントセンサ（図示せず）を通過したことを条件に、次のラウンドゲームへ継続して進むことができる。なお、第１ラウンドのラウンドゲームから、次のラウンドゲームに継続して進むことができない（最終の）ラウンドゲームが終了するまでの遊技を特別遊技という。
【００４４】
特別遊技の実行中において、最もラウンドゲームが継続された場合のラウンド数（最大継続ラウンド数）は、ラウンド数抽選などの手段により所定の回数（例えば、１５回）に定められる。
【００４５】
また、所定の回数ラウンドゲームが終了した後、所定の条件が満たされると、ラウンド数増加手段によってラウンド数が増加され、増加したラウンド数のラウンドゲームがさらに実行される。
【００４６】
また、前述した始動口２５、４４、一般入賞口５６ａ〜５６ｄ、大入賞口３９における特定領域および一般領域に遊技球が入賞又は通過したときには、それぞれの入賞口の種類に応じて予め設定されている数の遊技球が払出口２０ａ（図１参照）を介して上皿２０（図１参照）に、又は、払出口２２ａ（図１参照）を介して下皿２２（図１参照）に払い出される。
【００４７】
一方、上記遊技盤１４の後面に設けられるラウンド数表示器５１は、複数の７セグメントＬＥＤで構成されており、少なくとも１桁以上の数字の表示が可能である。なお、ラウンド数表示器５１は、ドットＬＥＤ、液晶表示部、透過性を有する液晶表示部などから構成される場合もある。また、ラウンド数表示器５１の後方は、液晶表示装置３２が設けられている。
【００４８】
ラウンドゲームが進行するごとに現在のラウンド数を“１”減少して表示する。つまり、ラウンド数が徐々にカウントダウンされるように表示され、特別遊技の終了時には、“０”がラウンド数表示器５１によって表示されることになる。
【００４９】
さらに、所定の回数のラウンドゲームが終了し、ラウンド数表示器５１に“０”が表示された後、ラウンド数増加手段によってラウンド数が増加された場合、増加したラウンド数（例えば８）がラウンド数表示器５１に表示される。
【００５０】
［遊技機後側の構成］
図５はパチンコ遊技機１０における後面側の外観を示す斜視図である。ベースドア１７の後側には、基板ユニット４００、球払出ユニット５００等が設置されており、ベースドア１７を閉じた場合に、本体枠１２の裏側に配置される。基板ユニット４００は、ベースドア１７の後方に設置されている。基板ユニット４００には、詳しくは後述するが、各種の基板（図示せず）などが内蔵されており、それらの基板が透明な基板ケース４５０によって覆われている。基板ケース４５０は、基板ケース４５０ａおよび基板ケース４５０ｂとによって構成されており、基板ケース４５０ａがベースドア１７の後側に取り付けられ、基板ケース４５０ａにおける基板の収納部をカバーするように基板ケース４５０ｂが基板ケース４５０ａに固定される。
【００５１】
球払出ユニット５００は、ベースドア１７の後方に設置されている。球払出ユニット５００は、遊技球を貯留するための球貯留タンク５１０と、球通路ケース５２０とから構成される。この球貯留タンク５１０には、上方に開放された開口５１２が形成され、遊技場における球搬送設備などから供給される遊技球を受け入れる。一方、球通路ケース５２０には、払出用の払出ソレノイド（図示せず）、払出球数検知センサ（図示せず）などが内包されている。また、球通路ケース５２０には、球貯留タンク５１０に貯留されている遊技球を、上述した払出口２０ａ、２２ａ（図１参照）へと導くための球通路（図示せず）が設けられており、所定の条件が成立した場合には、球貯留タンク５１０などに貯留されていた所定数の遊技球が球通路を通過し、払出口２０ａ、２２ａ（図１参照）などに排出されることとなる。この所定の条件とは、例えば、後述する始動口４４、大入賞口３９などに遊技球が入球する条件や、遊技球の貸し出し用ボタンが操作される条件などがあり、その条件に対応して予め設定されている数の遊技球が、払出口２０ａ、２２ａ（図１参照）から排出され、上皿２０又は下皿２２に払い出されることとなる。
【００５２】
［基板ユニット］
上述した基板ユニット４００について図６を用いて詳しく説明する。
図６は、本実施形態の基板ユニット４００の分解斜視図である。
【００５３】
基板ユニット４００には、主制御基板４１０と、副制御基板４２０と、共用基板４３０などが、透明な基板ケース４５０ａ、４５０ｂに覆われるように内蔵されている。
【００５４】
遊技の進行を制御する制御手段としての主制御回路６０（図８参照）が実装された主制御基板４１０は、不正な行為（所謂、「ゴト行為」）を防止するため、主制御基板収容ケース４１２に収容されている。
主制御基板収容ケース４１２は、収容ケース本体４１２ａと、当該収容ケース本体４１２ａに着脱自在に設けられた収容ケース蓋体４１２ｂとから構成されている。
【００５５】
また、主制御基板収容ケース４１２には、収容ケース本体４１２ａに対する収容ケース蓋体４１２ｂの着脱を検知する第１検知手段としての収容ケースセンサ９１２が設けられている。この収容ケースセンサ９１２は、収容ケース本体４１２ａに装着された通電部９１２ａおよび９１２ｂと、収容ケース蓋体４１２ｂに装着された通電部９１２ｃとを有する。
【００５６】
次に、収容ケースセンサ９１２が蓋取り外し信号を送信する手順について説明する。
収容ケースセンサ９１２には、収容ケース蓋体４１２ｂが収容ケース本体４１２ａに取り付けられた状態で、通電部９１２ａから、通電部９１２ｃを介して、通電部９１２ｂへ電流が流れている。そして、通電部９１２ｃが装着された収容ケース蓋体４１２ｂが収容ケース本体４１２ａから取り外されると、通電部９１２ａから、通電部９１２ｂへ流れていた電流が遮断される。すると、収容ケースセンサ９１２は、後述する第１電力供給制御回路９１０（図８参照）に、蓋取り外し信号を送信する。
【００５７】
また、主制御基板収容ケース４１２には、収容ケース蓋体４１２ｂが収容ケース本体４１２ａに取り付けられた状態で、収容ケース蓋体４１２ｂを収容ケース本体４１２ａに固定する第１施錠機構９１および第２施錠機構９２が設けられている。
【００５８】
上述した第１施錠機構９１および第２施錠機構９２について図７を用いて詳しく説明する。
図７は、本実施形態の第１施錠機構９１および第２施錠機構９２の背面図である。
【００５９】
第１施錠機構９１は、鍵９１ａと、収容ケース本体４１２ａに設けられ外部からこの鍵９１ａが挿入される鍵穴９１ｂと、この鍵９１ａとともに回動する第１回動片９１ｃと、収容ケース蓋体４１２ｂに形成された第１係止部９１ｄとから構成されている。
【００６０】
鍵９１ａは、把持部とこの把持部から延出する挿入部とから成る。
鍵穴９１ｂは、収容ケース本体４１２ａの収容ケース蓋体４１２ｂが取り付けられる部分の近傍に設けられ、外部から鍵９１ａの挿入部が挿入可能に形成されている。また、鍵穴９１ｂには、鍵９１ａが抜かれたか否かを検知する第２検知手段としての施錠センサ９１１（図８参照）が設けられている。
【００６１】
第１回動片９１ｃは、収容ケース本体４１２ａの収容ケース蓋体４１２ｂが取り付けられる部分の近傍に設けられ、鍵９１ａが鍵穴９１ｂに挿入された状態で回動されることにより、鍵９１ａとともに回動するシリンダー部と、このシリンダー部から収容ケース蓋体４１２ｂの取り付け方向に対して略直交する方向に延出する爪部とから成る。
【００６２】
第１係止部９１ｄは、収容ケース蓋体４１２ｂが収容ケース本体４１２ａに取り付けられた状態で、収容ケース蓋体４１２ｂの収容ケース本体４１２ａと接触する部分に略矩形の孔状に形成されている。
【００６３】
次に、第１施錠機構９１を用いて、収容ケース蓋体４１２ｂを収容ケース本体４１２ａに施錠する手順について説明する。
上述の収容ケース蓋体４１２ｂに装着された通電部９１２ｃと、収容ケース本体４１２ａに装着された通電部９１２ａおよび９１２ｂとが接触するように、収容ケース蓋体４１２ｂを収容ケース本体４１２ａに接近させる。このとき、収容ケース本体４１２ａの第１回動片９１ｃは、収容ケース蓋体４１２ｂの第１係止部９１ｄが形成された方向と略平行する方向を向いた状態である。すると、収容ケース蓋体４１２ｂの第１係止部９１ｄは第１回動片９１ｃの回動面上に位置する。
次に、収容ケース本体４１２ａに設けられた鍵穴９１ｂに鍵９１ａを差し込んで、第１回動片９１ｃが第１係止部９１ｄが形成された方向と略平行する方向から略９０度回動した方向を向くように、鍵９１ａを回動して第１係止部９１ｄを回動させる。第１係止部９１ｄは、回動する方向から第１係止部９１ｄに挿入され、第１回動片９１ｃが第１係止部９１ｄが形成された方向から略９０度回動した方向を向いた状態で第１係止部９１ｄと係止する。その後、鍵穴９１ｂから鍵９１ａを抜くと第１回動片９１ｃを回動させることはできない。
【００６４】
第２施錠機構９２は、収容ケース本体４１２ａに設けられ、入力情報としてのパスワード（例えば、所定の４桁の数字）を入力させる施錠装置９２ａ（図６参照）と、収容ケース本体４１２ａに設けられ、この施錠装置９２ａにより入力されたパスワードに基づき、回動する第２回動片９２ｃと、収容ケース蓋体４１２ｂに形成された第２係止部９２ｄとから構成されている。
【００６５】
施錠装置９２ａは、収容ケース本体４１２ａの収容ケース蓋体４１２ｂが取り付けられる部分の近傍に設けられ、入力手段としての入力装置９２１（図８参照）と、この入力装置９２１が送信した入力情報に基づき、第２回動片９２ｃを回動させる解錠装置９２２（図８参照）とを備える。
【００６６】
入力装置９２１は、４つの押しボタンと、この４つの押しボタンが操作された順番の組合せにより所定の入力情報（例えば、パスワード）を生成し、この入力情報を入力信号として後述する第２電力供給制御回路９２０（図８参照）に送信する送信部とから成る。
【００６７】
解錠装置９２２は、第２回動片９２ｃに接続されたモータである。解錠装置９２２は、入力装置９２１により所定の入力情報が入力されたと後述する第２電力供給制御回路９２０（図８参照）が判定した場合に、第２電力供給制御回路９２０から送信される解錠信号に基づき回転し、第２回動片９２ｃを所定量回動させる。
【００６８】
第２回動片９２ｃは、収容ケース本体４１２ａの収容ケース蓋体４１２ｂが取り付けられる部分の近傍に設けられ、解錠装置９２２の回転により、回動するシリンダー部と、このシリンダー部から収容ケース蓋体４１２ｂの取り付け方向に対して略直交する方向に延出する爪部とから成る。
【００６９】
第２係止部９２ｄは、収容ケース蓋体４１２ｂが収容ケース本体４１２ａに取り付けられた状態で、収容ケース蓋体４１２ｂの収容ケース本体４１２ａと接触する部分に略矩形の孔状に形成されている。
【００７０】
次に、第２施錠機構９２を用いて、収容ケース蓋体４１２ｂと収容ケース本体４１２ａとの施錠を解錠する手順について説明する。
上述の収容ケース蓋体４１２ｂが収容ケース本体４１２ａに取り付けられ、施錠された状態での収容ケース本体４１２ａの第２回動片９２ｃは、収容ケース蓋体４１２ｂの第２係止部９２ｄが形成された方向と略直交する方向を向いた状態で、第２係止部９２ｄと係止する。
この状態で、入力装置９２１の４つの押しボタンを所定の順番で操作すると、所定のパスワードが後述する第２電力供給制御回路９２０（図８参照）に送信され、この第２電力供給制御回路９２０より解錠装置９２２に解錠信号が送信され、この解錠装置９２２が所定量回転する。すると、この解錠装置９２２に接続された第２回動片９２ｃは、第２係止部９２ｄに係止した状態から略９０度回動し、第２係止部９２ｄとの係止を解除することで、収容ケース蓋体４１２ｂと収容ケース本体４１２ａとの施錠を解錠する。
【００７１】
換言すると、第２回動片９２ｃは、入力手段により入力された入力情報が所定入力情報であると判定手段が判定したことを条件に、回動して第２係止部との係止を解除する第２回動片の一例として機能する。
【００７２】
副制御基板４２０には副制御回路２００が実装されている。副制御回路２００は、パチンコ遊技機１０における画像演出、音演出、ランプ演出など、各種の演出を行うための回路である。副制御回路２００には、各種の画像データや音データが記憶されているカートリッジＲＯＭ４２１を着脱するコネクタ（図示せず）が実装されている。このため、機種変更を行う際には、その機種に対応したカートリッジＲＯＭ（図示せず）を装着することによって、容易に機種変更を行うことができる。
【００７３】
共用基板４３０には、払出制御回路１９４（図８参照）、発射制御回路１９６（図８参照）、後述する電力供給回路９０（図８参照）、電力供給制御回路９００（図８参照）が実装されている。発射制御回路１９６（図８参照）には、発射装置１３０（図８参照）における発射モータを安定して駆動させるための発射用コンデンサ４３２が実装されている。
【００７４】
［遊技機の電気的構成］
本実施形態におけるパチンコ遊技機１０の制御回路について図８を用いて説明する。図８は、本実施形態におけるパチンコ遊技機１０の制御回路を示すブロック図である。
【００７５】
遊技制御手段としての主制御回路６０は、図８に示すように、制御手段であるメインＣＰＵ６６、メインＲＯＭ（読み出し専用メモリ）６８、メインＲＡＭ（読み書き可能メモリ）７０、シリアル通信用ＩＣ７２を備えている。この主制御回路６０は、遊技の進行を制御する。
【００７６】
メインＣＰＵ６６には、メインＲＯＭ６８、メインＲＡＭ７０等が接続されており、このメインＲＯＭ６８に記憶されたプログラムに従って、各種の処理を実行する機能を有する。
【００７７】
メインＲＯＭ６８には、メインＣＰＵ６６によりパチンコ遊技機１０の動作を制御するためのプログラムが記憶されており、その他には、乱数抽選によって大当たり判定をする際に参照される大当たり判定テーブルや、演出を選択する際に参照される演出条件選択テーブル等の各種のテーブル、他のテーブルも記憶されている。
【００７８】
メインＲＡＭ７０は、メインＣＰＵ６６の一時記憶領域として種々のフラグや変数の値を記憶する機能を有する。また、メインＲＡＭ７０には、特別図柄記憶領域、普通図柄記憶領域が位置付けられ、種々の情報が記憶されている。
【００７９】
また、主制御回路６０には、副制御回路２００、払出制御回路１９４、発射制御回路１９６、および電力供給制御回路９００が接続されている。この払出制御回路１９４には、遊技球の払出を行う払出装置１２８が接続されている。発射制御回路１９６には遊技球の発射を行う発射装置１３０が接続されている。
【００８０】
副制御回路２００は、副制御基板４２０に実装されている。この副制御回路２００は、プリント基板上に実装された、カートリッジＲＯＭ、制御ＩＣ、およびＲＡＭを構成する電子部品群、その他、信号入出力用のＩ／Ｆとなるコネクタやモード切替用のスイッチ等によって構成される。副制御回路２００は、遊技の進行に関するデータを主制御回路６０から受信し、上述のＲＡＭに一時的に格納し、カートリッジＲＯＭに記憶されたプログラムに基づき、演出表示を表示する制御を行う。
【００８１】
払出制御回路１９４は、主制御回路６０から供給される賞球制御コマンド、カードユニット１５０から供給される貸し球制御信号を受け取り、払出装置１２８に対して所定の信号を送信することにより、払出装置１２８に遊技球を払い出させる。また、発射制御回路１９６は、発射装置１３０に対して発射信号を供給することにより、遊技球を発射させる制御を行う。
【００８２】
シリアル通信用ＩＣ７２には、副制御回路２００が接続されている。この副制御回路２００は、主制御回路６０から供給される各種のコマンドに応じたデータを送信して、液晶表示装置３２における表示制御、スピーカ（図示せず）から発生させる音声に関する制御、盤面演出ランプ（図示せず）、装飾ランプ（図示せず）等のランプに関する制御等を行う。  
【００８３】
電力供給制御回路９００には、外部から供給された電力を、上述の主制御基板４１０の主制御回路６０、副制御基板４２０の副制御回路２００、および共用基板４３０に実装された発射制御回路１９６に分配して供給する電力供給回路９０が接続されている。また、電力供給制御回路９００には、上述の第１施錠機構９１に設けられた施錠センサ９１１と、上述の主制御基板収容ケース４１２に設けられた収容ケースセンサ９１２と、上述の第２施錠機構９２の施錠装置９２ａに設けられた入力装置９２１および解錠装置９２２とが接続されている。
【００８４】
また、電力供給制御回路９００には、収容ケース本体４１２ａから収容ケース蓋体４１２ｂが取り外された状態を収容ケースセンサ９１２が検知したことを条件として、電力供給回路９０が主制御基板４１０の主制御回路６０に電力を供給するのを停止し、第１施錠機構９１の鍵穴９１ｂから鍵９１ａが抜かれた状態を施錠センサ９１１が検知したことを条件として、主制御回路６０に、電力供給回路９０による電力の供給を開始する制御を行う第１電力供給制御回路９１０が含まれる。
【００８５】
また、電力供給制御回路９００には、第２施錠機構９２の入力装置９２１により入力された入力情報が所定入力情報であるか否かを判定し、この入力された入力情報が所定入力情報であると判定したことを条件として、電力供給回路９０による電力の供給を停止させる制御を行う第２電力供給制御回路９２０が含まれる。
【００８６】
換言すると、第２電力供給制御回路９２０は、入力手段により入力された入力情報が所定入力情報であるか否かを判定する判定手段として機能する。また、第２電力供給制御回路９２０は、入力手段により入力された入力情報が所定入力情報であると判定手段が判定したことを条件として、電力供給手段による電力の供給を停止させる制御を行う第２電力供給制御手段の一例として機能する。
【００８７】
［遊技機の動作］
以下に、パチンコ遊技機１０の電力供給制御回路９００で実行される処理を図９および図１０に示す。
図９を用いて、電力供給制御回路９００の第１電力供給制御回路９１０で実行される処理について説明する。
【００８８】
ステップＳ１において、鍵引き抜き信号を受信したか否か判定する処理を行う。この処理において、第１電力供給制御回路９１０は、第１施錠機構９１（図６参照）の鍵穴９１ｂに設けられた施錠センサ９１１から、この鍵穴９１ｂから鍵９１ａが抜かれた旨の信号である鍵引き抜き信号を受信したか否かを判定する。第１電力供給制御回路９１０は、鍵引き抜き信号を受信したと判定した場合には、ステップＳ２に処理を移し、鍵引き抜き信号をしていないと判定した場合には、本サブルーチンを終了する。
【００８９】
ステップＳ２において、主制御回路６０に電力供給する処理を行う。この処理において、第１電力供給制御回路９１０は、電力供給回路９０から供給された電力を分配して主制御回路６０に供給する処理を行う。この処理が終了した場合には、ステップＳ３に処理を移す。
換言すると、第１電力供給制御回路９１０は、第１施錠手段から鍵が抜かれた状態を第２検知手段が検知したことを条件として、制御手段に、電力供給手段による電力の供給を開始させる制御を行う第１電力供給制御手段の一例として機能する。
【００９０】
ステップＳ３において、蓋取り外し信号を受信したか否か判定する処理を行う。この処理において、第１電力供給制御回路９１０は、主制御基板収容ケース４１２（図６参照）に設けられた収容ケースセンサ９１２から、収容ケース蓋体４１２ｂが収容ケース本体４１２ａから取り外された旨の信号である蓋取り外し信号を受信したか否かを判定する。第１電力供給制御回路９１０は、蓋取り外し信号を受信したと判定した場合には、ステップＳ４に処理を移し、蓋取り外し信号を受信していないと判定した場合には、本サブルーチンを終了する。
【００９１】
ステップＳ４において、主制御回路６０に電力供給を停止する処理を行う。この処理において、第１電力供給制御回路９１０は、電力供給回路９０から供給された電力を分配して主制御回路６０に供給していた電力の供給を停止する処理を行う。この処理が終了した場合には、本サブルーチンを終了する。
換言すると、第１電力供給制御回路９１０は、収容ケース本体から収容ケース蓋体が取り外された状態を第１検知手段が検知したことを条件として、電力供給手段が制御手段に電力を供給するのを停止させる制御を行う第１電力供給制御手段の一例として機能する。
【００９２】
次に、図１０を用いて、電力供給制御回路９００の第２電力供給制御回路９２０で実行される処理について説明する。
【００９３】
ステップＳ１１において、鍵引き抜き信号を受信したか否か判定する処理を行う。この処理において、第２電力供給制御回路９２０は、第１施錠機構９１（図６参照）の鍵穴９１ｂに設けられた施錠センサ９１１から、この鍵穴９１ｂから鍵９１ａが抜かれた旨の信号である鍵引き抜き信号を受信したか否かを判定する。第２電力供給制御回路９２０は、鍵引き抜き信号を受信したと判定した場合には、ステップＳ１２に処理を移し、鍵引き抜き信号をしていないと判定した場合には、本サブルーチンを終了する。
【００９４】
ステップＳ１２において、主制御回路６０に電力供給する処理を行う。この処理において、第２電力供給制御回路９２０は、電力供給回路９０から供給された電力を分配して主制御回路６０に供給する処理を行う。この処理が終了した場合には、ステップＳ１３に処理を移す。
【００９５】
ステップＳ１３において、所定入力情報の入力信号を受信したか否か判定する処理を行う。この処理において、第２電力供給制御回路９２０は、第２施錠機構９２（図６参照）の入力装置９２１から所定入力情報の入力信号を受信したか否か判定する。第２電力供給制御回路９２０は、この入力信号を受信したと判定した場合には、ステップＳ１４に処理を移し、この入力信号を受信していないと判定した場合には、本サブルーチンを終了する。
換言すると、第２電力供給制御回路９２０は、入力手段により入力された入力情報が所定入力情報であるか否かを判定する判定手段の一例として機能する。
【００９６】
ステップＳ１４において、主制御回路６０に電力供給を停止する処理を行う。この処理において、第２電力供給制御回路９２０は、電力供給回路９０から供給された電力を分配して主制御回路６０に供給していた電力の供給を停止する処理を行う。この処理が終了した場合には、ステップＳ１５に処理を移す。
換言すると、第２電力供給制御回路９２０は、入力手段により入力された入力情報が所定入力情報であると判定手段が判定したことを条件として、電力供給手段による電力の供給を停止させる制御を行う第２電力供給制御手段の一例として機能する。
【００９７】
ステップＳ１５において解錠制御処理を行う。この処理において、第２電力供給制御回路９２０は、解錠信号を解錠装置９２２に送信する。解錠信号を受信した解錠装置９２２は、所定量回動して、第２回動片９２ｃを回動させて、この第２回動片９２ｃと収容ケース蓋体４１２ｂの第２係止部９２ｄとの係止を解除する。この処理が終了した場合には、本サブルーチンを終了する。
【００９８】
本実施形態によれば、以下のような効果がある。
（１）遊技の進行を制御する主制御回路６０、この主制御回路６０を収容する主制御基板収容ケース４１２、この主制御基板収容ケース４１２を内部に収納する本体枠１２、この本体枠１２の前方に開閉自在に軸着された扉１１、および主制御回路６０に電力を供給する電力供給回路９０を設けた。これにより、主制御基板収容ケース４１２に収容された主制御回路６０に電力を供給することで、遊技を進行できる。
【００９９】
また、主制御基板収容ケース４１２には、収容ケース本体４１２ａ、当該収容ケース本体４１２ａに着脱自在に設けられた収容ケース蓋体４１２ｂを設けた。これにより、収容ケース本体４１２ａの内部に主制御回路６０を設置し、収容ケース蓋体４１２ｂを収容ケース本体４１２ａに装着することで、主制御回路６０を主制御基板収容ケース４１２内に収容できる。
【０１００】
また、収容ケース本体４１２ａに対する収容ケース蓋体４１２ｂの着脱を検知する収容ケースセンサ９１２、および収容ケース本体４１２ａから収容ケース蓋体４１２ｂが取り外された状態を収容ケースセンサ９１２が検知したことを条件として、電力供給回路９０が主制御回路６０に電力を供給するのを停止させる制御を行う第１電力供給制御回路９１０を設けた。これにより、収容ケースセンサ９１２により収容ケース本体４１２ａから収容ケース蓋体４１２ｂが取り外された状態を検知したときに、第１電力供給制御回路９１０により電力供給回路９０が主制御回路６０に電力を供給するのを停止できる。
【０１０１】
したがって、遊技機１０を点検するために、主制御回路６０を収容した主制御基板収容ケース４１２の収容ケース本体４１２ａから収容ケース蓋体４１２ｂを取り外すと主制御回路６０への電力の供給が停止されるので、遊技機１０の点検作業時に感電するのを防止できる。
【０１０２】
（２）主制御基板収容ケース４１２に収容ケース蓋体４１２ｂを収容ケース本体４１２ａに固定する第１施錠機構９１を設けた。この第１施錠機構９１には、収容ケース本体４１２ａに設けられ外部から鍵９１ａが挿入される鍵穴９１ｂと、収容ケース本体４１２ａに設けられ当該鍵９１ａが鍵穴９１ｂに挿入された状態で回動されることにより、当該鍵９１ａとともに回動する第１回動片９１ｃと、収容ケース蓋体４１２ｂに形成され第１回動片９１ｃが回動して当該第１回動片９１ｃによって係止される第１係止部９１ｄとを設けた。
【０１０３】
これにより、例えば、収容ケース本体４１２ａの内部に主制御回路６０を設置し、収容ケース蓋体４１２ｂを収容ケース本体４１２ａに装着した状態で、収容ケース本体４１２ａの第１施錠機構９１に鍵９１ａを差し込んで、第１施錠機構９１の第１回動片９１ｃを回動させて、この第１回動片９１ｃによって収容ケース蓋体４１２ｂに形成された第１係止部９１ｄに係止することで、収容ケース蓋体４１２ｂを収容ケース本体４１２ａに施錠する。
【０１０４】
また、第１施錠機構９１から鍵９１ａが抜かれたか否かを検知する施錠センサ９１１を備え、第１電力供給制御回路９１０により、この施錠センサ９１１が第１施錠機構９１から鍵９１ａが抜かれた状態を検知したことを条件として、主制御回路６０に、電力供給回路９０による電力の供給を開始させる制御を行う。これにより、第１施錠機構９１から鍵９１ａを抜くだけで、主制御回路６０へ電力の供給を開始できる。
【０１０５】
したがって、遊技機の点検時には、収容ケース本体４１２ａから収容ケース蓋体４１２ｂを取り外すだけで、主制御回路６０へ電力の供給を停止でき、遊技機の点検終了時には、収容ケース蓋体４１２ｂを収容ケース本体４１２ａに装着した状態で、第１施錠機構９１により施錠し、鍵９１ａを抜くだけで、主制御回路６０へ電力の供給を開始できる。よって、遊技機１０の点検作業時に感電するのを防止できるとともに、点検作業終了時には、主制御回路６０へ電力の供給が停止されたことにより中断した遊技をスムーズに再開できる。
【０１０６】
（３）主制御基板収容ケース４１２に収容ケース蓋体４１２ｂを収容ケース本体４１２ａに固定する第２施錠機構９２を設けた。この第２施錠機構９２には、入力情報を入力可能な入力装置９２１と、収容ケース本体４１２ａに設けられ当該入力装置９２１により入力された入力情報に基づき、回動する第２回動片９２ｃと、収容ケース蓋体４１２ｂに形成され当該第２回動片９２ｃによって係止される第２係止部９２ｄとを設けた。
【０１０７】
これにより、例えば、収容ケース本体４１２ａの内部に主制御回路６０を設置し、収容ケース蓋体４１２ｂを収容ケース本体４１２ａに装着し、収容ケース本体４１２ａに設けられた第２回動片９２ｃによって収容ケース蓋体４１２ｂに形成された第２係止部９２ｄを係止できる。
【０１０８】
また、入力手段により入力された入力情報が所定入力情報であるか否かを判定する第２電力供給制御回路９２０、入力された入力情報が所定入力情報であると第２電力供給制御回路９２０が判定したことを条件として、電力供給回路９０による電力の供給を停止させる制御を行う第２電力供給制御回路９２０を設けた。
これにより、入力装置９２１により所定入力情報を入力すると、主制御回路６０に電力の供給を停止できる。
【０１０９】
さらに、第２回動片９２ｃは、入力装置９２１により入力された入力情報が所定入力情報であると第２電力供給制御回路９２０が判定したことを条件に、回動して第２係止部９２ｄとの係止を解除する。
【０１１０】
したがって、所定入力情報を知らない第三者が主制御基板収容ケース４１２の収容ケース蓋体４１２ｂを開けて、主制御回路６０を不正に交換するのを防止できるとともに、主制御基板収容ケース４１２の収容ケース蓋体４１２ｂを開けるために所定入力情報を入力するだけで、主制御回路６０に電力の供給を停止できるので、遊技機の点検作業時に感電するのを確実に防止できる。
【０１１１】
また、本実施形態において、電力供給制御回路９００は、所定の条件により、主制御回路６０に電力供給を停止する制御を行う。このとき、電力供給制御回路９００は、副制御回路２００への電力の供給を維持することができる。
【０１１２】
すなわち、（１）から（３）のいずれかに記載の遊技機において、前記制御手段は、遊技の実行を制御する主制御手段と、前記主制御手段の遊技の実行にともなう演出を制御する副制御手段とを備え、前記第１電力供給制御手段は、前記収容ケース本体から前記収容ケース蓋体が取り外された状態を前記第１検知手段が検知したことを条件として、前記電力供給手段が前記主制御手段に電力を供給するのを停止させる制御を行う一方、前記電力供給手段が前記副制御手段に電力を供給するのを維持させる制御を行うことを特徴とする遊技機、とすることができる。
【０１１３】
この遊技機によれば、制御手段を、遊技の実行を制御する主制御手段と、主制御手段の遊技の実行にともなう演出を制御する副制御手段とを含んで構成した。第１電力供給制御手段は、収容ケース本体から収容ケース蓋体が取り外された状態を第１検知手段が検知したことを条件として、電力供給手段が主制御手段に電力を供給するのを停止させる制御を行う一方、電力供給手段が副制御手段に電力を供給するのを維持させる制御を行う。
これにより、遊技機の点検のために収容ケース本体から収容ケース蓋体を取り外しても、副制御手段に電力を供給できる。
【０１１４】
したがって、例えば、副制御手段が遊技の実行にともなう演出に関するデータを揮発性の記憶手段に記憶して、演出表示していても、電力が供給されているので当該データを維持できる。よって、遊技機の点検のために、遊技の実行にともなう演出が中断されても、演出に関するデータは維持されるので、遊技機の点検後に、中断前の演出と継続した演出を表示できる。
【０１１５】
上述した実施形態においては、所謂、デジパチあるいはセブン機とも称されるパチンコ遊技機を例に挙げたが、これに限らず、羽根モノ、ヒコーキモノと称されるパチンコ遊技機、権利モノと称されるパチンコ遊技機、その他別の態様であっても良い。
【０１１６】
また、本実施形態においては、パチンコ遊技機等の遊技機自体に本発明を適用したが、ゲーム機などに適用しても良い。
【０１１７】
以上、本発明の実施形態を説明したが、具体例を例示したに過ぎず、特に本発明を限定するものではない。すなわち、本発明は、主に、遊技の進行を制御する制御手段と、当該制御手段を収容する制御手段収容ケースと、当該制御手段収容ケースを内部に収納する遊技機枠体と、当該遊技機枠体の前方に開閉自在に軸着された扉と、前記制御手段に電力を供給する電力供給手段とを備え、前記制御手段収容ケースは、収容ケース本体と、当該収容ケース本体に着脱自在に設けられた収容ケース蓋体とを有し、前記収容ケース本体に対する前記収容ケース蓋体の着脱を検知する第１検知手段と、前記収容ケース本体から前記収容ケース蓋体が取り外された状態を当該第１検知手段が検知したことを条件として、前記電力供給手段が前記制御手段に電力を供給するのを停止させる制御を行う第１電力供給制御手段とを備えることを特徴とする遊技機であるが、制御手段、制御手段収容ケース、遊技機枠体、扉、電力供給手段、収容ケース本体、収容ケース蓋体、第１検知手段、および第１電力供給制御手段などの具体的構成は、適宜設計変更可能である。
【０１１８】
尚、本発明の実施形態に記載された効果は、本発明から生じる最も好適な効果を列挙したに過ぎず、本発明による効果は、本発明の実施例に記載されたものに限定されるものではない。
【図面の簡単な説明】
【０１１９】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機において構成される電飾ユニットを示す正面図である。
【図４】本発明の一実施形態のパチンコ遊技機における概観を示す正面図である。
【図５】本発明の一実施形態のパチンコ遊技機における概観を示す斜視図である。
【図６】本発明の一実施形態のパチンコ遊技機における基板ユニットの分解斜視図である。
【図７】本発明の一実施形態のパチンコ遊技機における第１施錠機構および第２施錠機構の背面図である。
【図８】本発明の一実施形態のパチンコ遊技機において構成される制御系を示すブロック図である。
【図９】本発明の一実施形態のパチンコ遊技機において実行される制御処理を示すフローチャートである。
【図１０】本発明の一実施形態のパチンコ遊技機において実行される制御処理を示すフローチャートである。
【符号の説明】
【０１２０】
１０  パチンコ遊技機
１１  扉
１２  本体枠
１２ａ  開口
１３  障害釘
１４  遊技盤
１５  遊技領域
１６  遊技領域外域
１７  ベースドア
１９  保護板
２０  上皿
２０ａ  払出口
２２  下皿
２２ａ  払出口
２４  入賞口
２５  始動口
２６  発射ハンドル
３０  ガイドレール
３０ａ  外レール
３０ｂ  内レール
３１  スペーサー
３１ａ  貫通穴
３２  液晶表示装置
３２ａ  表示領域
３３  特別図柄表示器
３４ａ、３４ｂ、３４ｃ、３４ｄ  特別図柄保留ランプ
３５  普通図柄表示器
３７  表示器ケース
３９  大入賞口
４０  シャッタ
４１  セグメントＬＥＤ
４４  始動口
４６  スピーカ
４７  第１ワープ経路
４９  第２ワープ経路
５０ａ、５０ｂ、５０ｃ、５０ｄ  普通図柄保留ランプ
５１  ラウンド数表示器
５３  電飾ユニット
５４ａ、５４ｂ  通過ゲート
５５  障害物
５６ａ、５６ｂ、５６ｃ、５６ｄ  一般入賞口
５７  障害物
５８  障害物
６０  主制御回路
６８  メインＲＯＭ
７０  メインＲＡＭ
７２  シリアル通信用ＩＣ
９０  電力供給回路
９１  第１施錠機構
９１ａ  鍵
９１ｂ  鍵穴
９１ｃ  第１回動片
９１ｄ  第１係止部
９２  第２施錠機構
９２ａ  施錠装置
９２ｃ  第２回動片
９２ｄ  第２係止部
１２８  払出装置
１３０  発射装置
１５０  カードユニット
１９４  払出制御回路
１９６  発射制御回路
２００  副制御回路
４００  基板ユニット
４１０  主制御基板
４１２  主制御基板収容ケース
４１２ａ  収容ケース本体
４１２ｂ  収容ケース蓋体
４２０  副制御基板
４２１  カートリッジＲＯＭ
４３０  共用基板
４３２  発射用コンデンサ
４５０  基板ケース
４５０ａ  基板ケース
４５０ｂ  基板ケース
５００  球払出ユニット
５１０  球貯留タンク
５１２  開口
５２０  球通路ケース
９００  電力供給制御回路
９１０  第１電力供給制御回路
９１１  施錠センサ
９１２  収容ケースセンサ
９１２ａ、９１２ｂ、９１２ｃ  通電部
９２０  第２電力供給制御回路
９２１  入力装置
９２２  解錠装置
【図１】
2007313218.tif 000003
【図２】
2007313218.tif 000004
【図３】
2007313218.tif 000005
【図４】
2007313218.tif 000006
【図５】
2007313218.tif 000007
【図６】
2007313218.tif 000008
【図７】
2007313218.tif 000009
【図８】
2007313218.tif 000010
【図９】
2007313218.tif 000011
【図１０】
2007313218.tif 000012